(57)【要約】【課題】起動時の燃料電池スタックの温度が起動可能温度温度以上に冷えた場合においても発電を継続可能にする。【解決手段】起動時、コントローラ２６が、温度センサ２１により検出された燃料電池スタック２の温度Ｔｃｅｌｌと不揮発性メモリ内に記録されている起動可能温度Ｔｐとに基づいて起動時の運転条件を決定し、決定した運転条件で燃料電池スタック２を起動する。これにより、起動時の燃料電池スタックの温度Ｔｃｅｌｌが起動可能温度Ｔｐ温度以上に冷えた場合においても発電を継続させることができる。【選択図】図１
2007012563.tif 000002
【特許請求の範囲】
【請求項１】
燃料極及び酸化剤極にそれぞれ燃料ガス及び酸化剤ガスの供給を受けて発電する燃料電池が複数積層された燃料電池スタックを有する燃料電池システムであって、
前記燃料電池スタックを加熱昇温する加熱手段と、
前記燃料電池スタックの温度を検出する温度検出手段と、
運転停止時に前記燃料電池スタックの内部に残留している水を除去する水除去手段と、
運転停止時に前記燃料電池スタックの次回起動時の起動可能温度を推定する起動可能温度推定手段と、
起動時、前記温度検出手段により検出された燃料電池スタックの温度と前記起動可能温度推定手段により推定された起動可能温度とに基づいて起動時の運転条件を決定し、決定した運転条件で燃料電池スタックを起動する制御手段と
を備えることを特徴とする燃料電池システム。
【請求項２】
請求項１に記載の燃料電池システムであって、
前記水除去手段によって運転停止時に前記燃料電池スタック内部から除去された水の量を算出する水除去量算出手段と、
燃料電池スタックの温度が氷点温度未満の温度から発電継続可能な温度まで変化する間に発電によって生成される水の量を算出する生成水量算出手段とを備え、
前記起動可能温度推定手段は、前記水除去量算出手段及び前記生成水量算出手段により算出された水の量に基づいて次回起動可能温度を推定することを特徴とする燃料電池システム。
【請求項３】
請求項１又は請求項２に記載の燃料電池システムであって、
前記制御手段は、燃料電池スタックの温度が起動可能温度より低い場合、前記加熱手段により燃料電池スタックを起動可能温度まで昇温させた後に燃料電池スタックの発電を開始することを特徴とする燃料電池システム。
【請求項４】
請求項２又は請求項３に記載の燃料電池システムであって、
前記水除去量算出手段により算出された水の量と所定の起動電流密度から燃料電池スタックの発電継続時間を算出する発電継続時間算出手段と、
前記発電継続時間算出手段により算出された発電継続時間内に前記加熱手段によって昇温できる燃料電池スタックの温度を算出する昇温温度算出手段とを備え、
前記制御手段は、燃料電池スタックの温度が起動可能温度より低く、且つ、昇温温度算出手段により算出された温度が温度検出手段により検出された燃料電池スタックの温度と次回起動可能温度の差よりも大きい場合、前記加熱手段により燃料電池スタックを昇温するのと略同時に燃料電池スタックの発電を開始することを特徴とする燃料電池システム。
【請求項５】
請求項１乃至請求項４のうち、いずれか１項に記載の燃料電池システムであって、
前記水除去手段は、所定の水蒸気分圧以下の酸化剤ガスを酸化剤極に供給することにより燃料電池スタックの内部に残留している水を除去することを特徴とする燃料電池システム。
【請求項６】
請求項１乃至請求項５のうち、いずれか１項に記載の燃料電池システムであって、
前記水除去手段は、所定水蒸気分圧以下の燃料ガスを燃料極に供給することにより燃料電池スタックの内部に残留している水を除去することを特徴とする燃料電池システム。
【請求項７】
請求項１乃至請求項６のうち、いずれか１項に記載の燃料電池システムであって、
前記加熱手段は、燃料電池スタックの冷媒流路中に発熱体により加熱された冷媒を循環させることにより燃料電池スタックを加熱昇温することを特徴とする燃料電池システム。
【請求項８】
請求項７に記載の燃料電池システムであって、
前記加熱手段は、燃料電池スタックの冷媒流路中に冷媒を循環させる際、冷媒の流路を冷媒を冷却する熱交換器から迂回させることを特徴とする燃料電池システム。
【請求項９】
請求項１乃至請求項８のうち、いずれか１項に記載の燃料電池システムであって、
前記加熱手段は、燃料電池システムが外部電源に接続されている場合、当該外部電源からの電力を利用して燃料電池スタックを起動可能温度以上に保温することを特徴とする燃料電池システム。
【発明の詳細な説明】
【技術分野】
【０００１】
本発明は、燃料極及び酸化剤極にそれぞれ燃料ガス及び酸化剤ガスの供給を受けて発電する燃料電池が複数積層された燃料電池スタックを有する燃料電池システムに関する。
【背景技術】
【０００２】
一般に、氷点下環境において燃料電池システムを起動した場合、発電に伴って生成された水が凍結し、氷によって酸化剤極への酸化剤ガスの供給が妨げられてしまうために、燃料電池スタックの発電継続可能時間は酸化剤ガスの供給が完全に遮断されるまでの間に限られる。このような背景から、発電に伴って発生する反応熱によって燃料電池スタックを昇温させることが時間的及びエネルギー的に良いとされる車両向けの燃料電池システムを氷点下環境において発電を継続可能なように起動するために、燃料電池スタックの温度を０［℃］以上等の水を排出可能な温度まで昇温させるまでの間、発電によって生成された水を保持する機構を有する燃料電池システムが提案されている（特許文献１を参照）。また、運転停止時、次回起動時の燃料電池スタックの温度を予測し、予測された温度に基づいて燃料電池スタックを起動可能な生成水保持量を算出し、算出された生成水保持量まで燃料電池スタックを乾燥させる燃料電池システムも提案されている（特許文献２を参照）。
【特許文献１】特開２００４−１５８３８７号公報
【特許文献１】特開２００４−１９２８５２号公報
【発明の開示】
【発明が解決しようとする課題】
【０００３】
しかしながら、上記燃料電池システムが自動車等の車両の駆動動力源として利用される場合、燃料電池システムの使用状況や周囲の天候を精度よく予測することは困難であるために、次回起動時の燃料電池スタックの温度を精度よく予測することは難しい。このため、起動時の燃料電池スタックの温度が予測された温度以上に冷えることによって、燃料電池スタックの温度が水を排出可能な温度まで昇温する前に生成水によってガス供給が阻害され、燃料電池スタックが発電を継続できなくなることがある。
【０００４】
なお、このような問題を解決するために、温度の予測精度を考慮して上述のような生成水保持機構を複数設ける方法も考えられるが、この方法を用いた場合には、燃料電池スタックを乾燥させるために運転停止に要する時間が長くなると共に、コンプレッサの動作や昇温のために多くのエネルギーを使用するために燃料電池システムの燃費性能が低下する。
【０００５】
本発明は、上述の課題を解決するためになされたものであり、その目的は、起動時の燃料電池スタックの温度が運転停止時に予測された温度以上に冷えた場合においても発電を継続することが可能な燃料電池システムを提供することにある。
【課題を解決するための手段】
【０００６】
上述の課題を解決するために、本発明に係る燃料電池システムは、起動時、燃料電池スタックの温度と起動可能温度とに基づいて起動時の運転条件を決定し、決定した運転条件で燃料電池スタックを起動する。
【発明の効果】
【０００７】
本発明に係る燃料電池システムによれば、起動時、燃料電池スタックの温度と起動可能温度とに基づいて燃料電池スタックの運転条件を決定するので、起動時の燃料電池スタックの温度が運転停止時に予測された温度以上に冷えた場合においても発電を継続することができる。
【発明を実施するための最良の形態】
【０００８】
以下、図面を参照して、本発明の実施形態となる燃料電池システムの構成と動作について説明する。
【０００９】
〔燃料電池システムの構成〕
本発明の実施形態となる燃料電池システムは、自動車等の車両の駆動動力源として使用され、図１に示すように、アノード及びカソードにそれぞれ燃料ガス及び酸化剤ガスとしての水素及び空気の供給を受けて発電する燃料電池１が複数積層された燃料電池スタック２を備える。なお、この実施形態では、燃料電池スタック２の端部はエンドプレート３により挟持され、エンドプレート３を介して燃料電池スタック２の発電電力を取り出すことができる。そして、エンドプレート３を介して取り出された発電電力は外部回路４に供給される。また、アノード及びカソードにおける電気化学反応及び燃料電池スタック２全体としての電気化学反応は以下に示す式（１）〜（３）による。
【００１０】
〔アノード〕    Ｈ2 →  ２Ｈ+  ＋２ｅ-               …（１）
〔カソード〕  1/2 Ｏ2 ＋２Ｈ+ ＋２ｅ-  → Ｈ2Ｏ      …（２）
〔全体〕      Ｈ2 ＋1/2 Ｏ2     → Ｈ2Ｏ            …（３）
〔水素系の構成〕
上記燃料電池システムは、水素供給装置５及び三方弁６を備え、水素供給装置５から供給された水素は三方弁６を介して燃料電池スタック２のアノードに供給される。また、燃料電池スタック２から排出された水素は、排出流路７から系外に排出される、又は、水素循環ポンプ８によって三方弁６を介して燃料電池スタック２のアノードに循環される。このように燃料電池スタック２から排出された水素を系外に排出することにより、カソード側から透過してきた不純物ガスが水素に混入することにより発電効率が低下することを防止できる。また、燃料電池スタック２から排出された未利用の水素をアノードに循環させることにより、燃料電池システムの燃費性能を向上させることができる。なお、水素供給装置５は、高圧ガスタンク，液化水素タンク，水素吸蔵合金タンク等の図示しない水素貯蔵装置から直接水素を供給してもよいし、天然ガス，メタノール，ガソリン等の水素を含有する水素含有ガスを改質した後に水素を供給するようにしてもよい。
【００１１】
〔空気系の構成〕
上記燃料電池システムは、エアフィルタ９，エアコンプレッサ１０，加湿器１１を備え、系外から取り込まれた空気は、エアフィルタ９によって浄化された後、エアコンプレッサ１０によって加湿器１１に圧送される。そして、エアコンプレッサ１０から圧送された空気は、加湿器１１により加湿された後、燃料電池スタック２のカソードに供給され、燃料電池スタック２から排出された空気は排出経路７から系外に排出される。なお、この燃料電池システムでは、加湿器１１によって加湿されていない空気を燃料電池スタック２のカソードに供給可能なように、加湿器１１を迂回してエアコンプレッサ１０から空気を供給するバイパス空気流路１２が設けられている。
【００１２】
〔冷却系の構成〕
上記燃料電池システムは、燃料電池スタック２に冷媒を圧送する冷媒循環ポンプ１３と、ラジエータファン１４から供給される外気を利用して冷媒を冷却するラジエータ１５を経由して冷媒循環ポンプ１３に戻るラジエータ側流路１６と、冷媒を加熱する加熱装置１７を介して冷媒循環ポンプ１３に戻るバイパス流路１８と、ラジエータ側流路１６とバイパス流路１８との間で燃料電池スタック２から排出された冷媒の流路を切り替える三方弁１９と、ラジエータ側流路１６及びバイパス流路１８それぞれから冷媒循環ポンプ１３に供給する冷媒流量を制御する三方弁２０とを備える。
【００１３】
〔制御系の構成〕
上記燃料電池システムは、燃料電池スタック２の内部温度を検出する温度センサ２１と、燃料電池スタック２に供給される冷媒の温度を検出する温度センサ２２と、燃料電池スタック２から排出される冷媒の温度を検出する温度センサ２３と、燃料電池スタック２に供給される空気中の水蒸気分圧を検出する水分センサ２４と、燃料電池スタック２から排出されるガス中の水蒸気分圧を検出する水分センサ２５と、燃料電池システム全体の動作を制御するコントローラ２６とを備える。なお、この実施形態では、コントローラ２６は、ＣＰＵと、プログラムＲＯＭと、作業用ＲＡＭと、入出力インタフェースとを備えたマイクロプロセッサにより構成され、ＣＰＵがプログラムＲＯＭ内に記憶された制御プログラムを実行することにより各種機能を実現する。
【００１４】
〔燃料電池の構成〕
上記燃料電池１は、図２に示すように、固体高分子型電解質膜等の電解質膜３１をアノード３２とカソード３３により挟持した構成を有し、アノード３２及びカソード３３は、カーボン担持白金触媒とナフィオン溶液を混合したペーストを塗布することにより形成された触媒層３４とガス拡散層（ＧＤＬ）３５とを有する。また、各燃料電池１は反応ガスの供給流路となる溝が形成されたカーボングラファイト製のセパレータ３６によって互いに仕切られている。
【００１５】
そして、このような構成を有する燃料電池システムでは、コントローラ２６が以下に示す停止処理及び起動処理を実行することにより、起動時の燃料電池スタックの温度が運転停止時に予測された温度以上に冷えた場合においても発電を継続可能にする。以下、図３及び図５に示すフローチャートを参照して、この停止処理及び起動処理を実行する際のコントローラ２６の動作について説明する。
【００１６】
〔停止処理〕
始めに、図３に示すフローチャートを参照して、停止処理を実行する際のコントローラ２６の動作について説明する。
【００１７】
図３に示すフローチャートは、コントローラ２６に停止指令が入力されるのに応じて開始となり、停止処理はステップＳ１の処理に進む。
【００１８】
ステップＳ１の処理では、コントローラ２６が、エアコンプレッサ１０から圧送された空気をバイパス流路１２を介して燃料電池スタック２に供給することにより、所定の水蒸気分圧以下の乾燥した空気を燃料電池スタック２に供給し、燃料電池スタック２内に残留している水を除去するパージ処理を開始する。なお、コントローラ２６は、所定水蒸気分圧以下のガスをアノードに供給することにより燃料電池スタック２の内部に残留している水を除去するようにしてもよい。これにより、ステップＳ１の処理は完了し、停止処理はステップＳ２の処理に進む。
【００１９】
ステップＳ２の処理では、コントローラ２６が、燃料電池スタック２内を流れる空気の温度，流量，及び圧力と燃料電池スタック２の入口側及び出口側の空気中の水蒸気分圧を検出し、検出されたデータをパージ条件として記録する。なお、燃料電池スタック２内を流れる空気の温度は、温度センサ２１により検出される燃料電池スタック２の温度としてもよいし、温度センサ２２，２３により検出される冷媒温度から推定するようにしてもよい。また、燃料電池スタック２内を流れる空気の流量及び圧力はエアコンプレッサ１０の回転数から推定することができる。また、空気中の水蒸気分圧は水分センサ２４，２５により検出することができる。これにより、ステップＳ２の処理は完了し、停止処理はステップＳ３の処理に進む。
【００２０】
ステップＳ３の処理では、コントローラ２６が、燃料電池スタック２の出口側の空気中の水蒸気分圧が所定分圧以下になるのに応じて、燃料電池スタック２内に残留している水が除去されたと判断し、パージ処理を終了する。これにより、ステップＳ３の処理は完了し、停止処理はステップＳ４の処理に進む。
【００２１】
ステップＳ４の処理では、コントローラ２６が、ステップＳ２の処理により記録されたパージ条件に基づいて次回の起動可能温度Ｔｐを算出し、算出された起動可能温度Ｔｐのデータを不揮発性メモリに記録する。具体的には、パージ処理により除去される水除去量Δｍは以下の数式１，２により算出することができる。なお、数式１中におけるパラメータΔｈｓ（ｔ），Ｖ（ｔ），ｔｐはそれぞれ、燃料電池スタック２の入口側と出口側の絶対湿度差［ｇ／ｍ３］，ガス流量［ｍ３／ｓ］，及びパージ時間［ｓ］を示す。また、数式２中におけるパラメータρ，α，θ，ｐｗ，ｐはそれぞれ水蒸気密度，膨張係数，ガス温度，水蒸気分圧，湿り空気全圧を示す。
【数１】
2007012563.tif 000003
【数２】
2007012563.tif 000004
【００２２】
また、燃料電池スタック２の熱容量Ｃは既知であるとして、起動時の燃料電池スタック２の温度と発電継続可能温度をそれぞれθｂ，θ０とすると、燃料電池スタック２の出力電流と温度の経時変化は図４に示すようになるので、以下の数式３により積算電流値（図４に示す斜線部分）から燃料電池スタック２内の生成水量ｍｗを算出することができると共に、以下の数式４により燃料電池スタック２の出力電圧及び出力電流から発電による発熱量Ｑを算出することができる。なお、数式３中におけるパラメータｉ，Ｆ，ＭＨ２０はそれぞれ電流，ファラデー定数，及び水の分子量を示す。また、数式４中におけるパラメータＥｃｅｌｌ，ＥＨＨＶはそれぞれ燃料電池スタック２の出力電圧及び高位発熱量ベースの理論起電力を示す。
【数３】
2007012563.tif 000005
【数４】
2007012563.tif 000006
【００２３】
そこで、コントローラ２６は、燃料電池スタック２の熱容量Ｃと全発熱量Ｑを以下の数式（５）に代入することにより、次回の起動可能温度Ｔｐを算出し、算出された起動可能温度Ｔｐのデータを不揮発性メモリに記録する。これにより、ステップＳ４の処理は完了し、一連の停止処理は終了する。
【数５】
2007012563.tif 000007
【００２４】
［起動処理］
次に、図５に示すフローチャートを参照して、起動処理を実行する際のコントローラ２６の動作について説明する。
【００２５】
図５に示すフローチャートは、コントローラ２６に起動指令が入力されるのに応じて開始となり、起動処理はステップＳ１１の処理に進む。
【００２６】
ステップＳ１１の処理では、コントローラ２６が、温度センサ２１により検出された燃料電池スタック２の温度Ｔｃｅｌｌが０℃以下であるか否かを判別する。そして、判別の結果、燃料電池スタック２の温度Ｔｃｅｌｌが０℃以下でない場合、コントローラ２６は、通常の起動シーケンスによりシステムを起動し、一連の起動処理を終了する。一方、燃料電池スタック２の温度Ｔｃｅｌｌが０℃以下である場合には、コントローラ２６は起動処理をステップＳ１２の処理に進める。
【００２７】
ステップＳ１２の処理では、コントローラ２６が、温度センサ２１により検出された燃料電池スタック２の温度Ｔｃｅｌｌが不揮発性メモリ内に記録されている起動可能温度Ｔｐ以下であるか否かを判別する。そして、判別の結果、燃料電池スタック２の温度Ｔｃｅｌｌが起動可能温度Ｔｐ以下でない場合、コントローラ２６は起動処理をステップＳ１６の処理に進める。一方、燃料電池スタック２の温度Ｔｃｅｌｌが起動可能温度Ｔｐ以下である場合には、コントローラ２６は起動処理をステップＳ１３の処理に進める。
【００２８】
ステップＳ１３の処理では、コントローラ２６が、燃料電池スタック２の温度Ｔｃｅｌｌと起動可能温度Ｔｐの差分値の絶対値を算出する。また、コントローラ２６は、パージ処理によって燃料電池スタック２内部から除去された水の量Δｍと所定の起動電流密度から燃料電池スタック２の発電継続可能時間を算出し、算出された発電継続可能時間内に加熱装置１７によって昇温できる燃料電池スタック２の温度を昇温可能温度Ｔｕｐとして算出する。
【００２９】
そして、コントローラ２６は、算出された絶対値が昇温可能温度Ｔｕｐ以下であるか否かを判別し、絶対値が昇温可能温度Ｔｕｐ以下である場合、起動処理をステップＳ１４の処理に進める。一方、絶対値が昇温可能温度Ｔｕｐ以下でない場合には、コントローラ２６は起動処理をステップＳ１５の処理に進める。
【００３０】
ステップＳ１４の処理では、コントローラ２６が、冷媒の流路をバイパス流路１８側に切り替えることにより加熱装置１７により加熱された冷媒を燃料電池スタック２に供給して燃料電池スタック２を昇温するのと同時に、燃料電池スタック２に水素と空気を供給することにより燃料電池スタック２の発電を開始する。これにより、ステップＳ１４の処理は完了し、一連の起動処理は終了する。
【００３１】
ステップＳ１５の処理では、コントローラ２６が、冷媒の流路をバイパス流路１８側に切り替えることにより加熱装置１７により加熱された冷媒を燃料電池スタック２に供給して燃料電池スタック２を昇温する。これにより、ステップＳ１５の処理は完了し、起動処理はステップＳ１６の処理に進む。
【００３２】
ステップＳ１６の処理では、コントローラ２６が、燃料電池スタック２に水素と空気を供給することにより燃料電池スタック２の発電を開始する。これにより、ステップＳ１６の処理は完了し、一連の起動処理は終了する。
【００３３】
以上の説明から明らかなように、本発明の実施形態となる燃料電池システムによれば、起動時、コントローラ２６が、燃料電池スタック２の温度Ｔｃｅｌｌと起動可能温度Ｔｐとに基づいて起動時の運転条件を決定し、決定した運転条件で燃料電池スタック２を起動するので、起動時の燃料電池スタックの温度Ｔｃｅｌｌが起動可能温度Ｔｐ温度以上に冷えた場合においても発電を継続させることができる。
【００３４】
また、本発明の実施形態となる燃料電池システムによれば、コントローラ２６は、パージ処理によって燃料電池スタック２内部から除去された水の量Δｍを算出し、燃料電池スタック２の温度Ｔｃｅｌｌが氷点温度未満の温度から発電継続可能温度まで昇温する間に発電によって生成される水の量ｍｗを算出し、算出結果に基づいて起動可能温度Ｔｐを推定するので、起動可能温度Ｔｐを正確に推定することができる。
【００３５】
また、本発明の実施形態となる燃料電池システムによれば、コントローラ２６は、燃料電池スタック２の温度Ｔｃｅｌｌが起動可能温度Ｔｐより低い場合、燃料電池スタック２を起動可能温度Ｔｐまで昇温させた後に燃料電池スタック２の発電を開始するので、加熱に要するエネルギーを節約し、燃料電池スタック２の昇温に要する時間を短縮することができる。また、燃料電池スタック２の保持生成水量を増やすことができると共に、燃料電池スタック２の劣化を抑制できる。また、電流密度を高くすることができるため燃料電池スタック２を短時間で昇温させることができる。
【００３６】
また、本発明の実施形態となる燃料電池システムによれば、コントローラ２６は、パージ処理によって燃料電池スタック２内部から除去された水の量Δｍと所定の起動電流密度から燃料電池スタック２の発電継続可能時間を算出し、算出された発電継続可能時間内に加熱装置１７によって昇温できる燃料電池スタック２の温度Ｔｕｐを算出し、燃料電池スタック２の温度Ｔｃｅｌｌが起動可能温度Ｔｐより低く、且つ、発電継続時間内に加熱装置１７によって昇温できる燃料電池スタック２の温度Ｔｕｐが燃料電池スタック２の温度Ｔｃｅｌｌと起動可能温度Ｔｐの差よりも大きい場合、加熱装置１７により燃料電池スタック２を昇温するのと略同時に燃料電池スタック２の発電を開始するので、起動時間を短縮することができる。
【００３７】
また、本発明の実施形態となる燃料電池システムによれば、コントローラ２６は、所定の水蒸気分圧以下の空気をカソードに供給することにより燃料電池スタック２の内部に残留している水を除去するので、燃料電池スタック２のカソード側に残留している水を効果的に除去することができる。また、本発明の実施形態となる燃料電池システムによれば、コントローラ２６は、所定水蒸気分圧以下の水素をアノードに供給することにより燃料電池スタック２の内部に残留している水を除去するので、電解質膜３１を介してカソード側に残留している水をアノード側に引き寄せ、燃料電池スタック２のカソード側に残留している水を効果的に除去することができる。また、水素流路と空気流路が対向している場合には、アノード及びカソードの両極の乾燥分布を打ち消すことにより均一な乾燥状態が得られ、起動時の発電電流密度分布を小さくすることができる。
【００３８】
また、本発明の実施形態となる燃料電池システムによれば、コントローラ２６は、燃料電池スタック２の冷媒流路中に加熱された冷媒を循環させることにより燃料電池スタック２を加熱昇温し、燃料電池スタック２の構成を変化させることなく燃料電池スタック２を昇温するので、既存の燃料電池スタックを利用して燃料電池システムのコストを抑えることができる。
【００３９】
また、本発明の実施形態となる燃料電池システムによれば、燃料電池スタック２の冷媒流路中に冷媒を循環させる際、コントローラ２６は、冷媒の流路をラジエータ１５を迂回するバイパス流路１８に切り替えるので、加熱する冷媒量を減らし、昇温時間を短縮することができる。また、バイパス流路１８の流路長は短いので、放熱による損失を小さくし、冷媒の加熱に要するエネルギーを節約することができる。また、冷媒を加熱する加熱装置１７はバイパス流路１８中に設けられているので、バイパス流路１８を使用しない通常の常温運転中の圧力損失を増大させることなく、また冷却性能を下げることもない。また、冷媒循環ポンプ１３の駆動に要する電力を増大させることがない。
【００４０】
以上、本発明者によってなされた発明を適用した実施の形態について説明したが、この実施の形態による本発明の開示の一部をなす論述及び図面により本発明は限定されることはない。例えば、上記実施形態において、燃料電池システムが外部電源に接続されている場合、コントローラ２６は、外部電源から電力を利用して起動可能温度Ｔｐ以上に燃料電池スタック１を保温することが望ましい。これにより、多くのエネルギーを用いることなく起動時間を短縮することができる。このように、上記実施の形態に基づいて当業者等によりなされる他の実施の形態、実施例及び運用技術等は全て本発明の範疇に含まれることは勿論であることを付け加えておく。
【図面の簡単な説明】
【００４１】
【図１】本発明の実施形態となる燃料電池システムの構成を示すブロック図である。
【図２】図１に示す燃料電池の内部構成を示す断面図である。
【図３】本発明の実施形態となる停止処理の流れを示すフローチャート図である。
【図４】燃料電池スタックの出力電流と温度の経時変化を示す図である。
【図５】本発明の実施形態となる起動処理の流れを示すフローチャート図である。
【符号の説明】
【００４２】
１：燃料電池
２：燃料電池スタック
３：エンドプレート
４：外部回路
５：水素供給装置
６，１９，２０：三方弁
７：排出流路
８：水素循環ポンプ
９：エアフィルタ
１０：エアコンプレッサ
１１：加湿器
１２：バイパス空気流路
１３：冷媒循環ポンプ
１４：ラジエータファン
１５：ラジエータ
１６：ラジエータ側流路
１７：加熱装置
１８：バイパス流路
２１，２２，２３：温度センサ
２４，２５：水分センサ
２６：コントローラ
【図１】
2007012563.tif 000008
【図２】
2007012563.tif 000009
【図３】
2007012563.tif 000010
【図４】
2007012563.tif 000011
【図５】
2007012563.tif 000012